【手続補正書】
【提出日】令和2年11月18日(2020.11.18)
【手続補正１】
【補正対象書類名】特許請求の範囲
【補正対象項目名】全文
【補正方法】変更
【補正の内容】
【特許請求の範囲】
【請求項１】
１μｌを超えない少ない調量液体の量（３６）を、ピペット装置（１０）内に供給されている、より多くの量の調量液体（３２）から、圧力可変の作動ガス（３４）を介して、パルス状に分注するためのピペット装置（１０）であって、前記ピペット装置（１０）は、
−少なくとも部分的に、前記作動ガス（３４）が充填されたピペット管（１１）と、
−前記作動ガス（３４）の圧力を変更するための圧力変更装置（１４、２２）と、
−前記圧力変更装置（１４、２２）を作動するための制御装置（２４）と、
を含んでおり、前記制御装置（２４）は、前記調量液体（３２）を静止して保持するために必要である前記ピペット管（１１）内での保持基準圧力に関して、前記ピペット管（１１）内に、４０ｍｓを超えないパルス幅を有する陽圧パルスを形成するために、前記圧力変更装置（１４、２２）を作動するように構成されているピペット装置（１０）において、
前記制御装置（２４）が、さらに、前記保持基準圧力に関して、前記ピペット管（１１）内に陽圧パルスを形成する前に、陰圧を形成するために、前記圧力変更装置（１４、２２）を作動するように構成されており、それによって、陽圧パルスを形成する前に、前記ピペット装置（１０）に受容された前記調量液体（３２）が、わずかにピペット開口部（３０）から離れて、前記ピペット装置（１０）内へ動かされ、１μｌを超えない少ない調量液体の量（３６）を放出している、ピペット開口部により近いメニスカス（３２ｂ）が、前記ピペット装置（１０）の受容空間（２８）へのパルス状分注の際に、前記ピペット開口部（３０）から距離を置いて配置されていることを特徴とするピペット装置（１０）。
【請求項２】
前記制御装置（２４）が、それぞれ２つの直に連続するパルス状分注プロセスの内の他方に割り当てられている２つの陽圧パルスを形成する間に、前記圧力変更装置（１４、２２）を、前記保持基準圧力を形成し、その後で陰圧を形成するために作動するように構成されていることを特徴とする、請求項１に記載のピペット装置（１０）。
【請求項３】
陰圧の形成が、第１の陰圧の形成と、その後で、前記第１の陰圧よりも高い値の圧力の形成と、その後で、第２の陰圧の形成と、を含んでいることを特徴とする、請求項２に記載のピペット装置（１０）。
【請求項４】
前記制御装置（２４）が、陰圧の形成後かつ陽圧パルスの形成前に、前記保持基準圧力を形成するために、前記圧力変更装置（１４、２２）を作動するように構成されていることを特徴とする、請求項１から３のいずれか一項に記載のピペット装置（１０）。
【請求項５】
前記作動ガス（３４）の圧力を検出するための圧力センサ（３８）が設けられており、前記圧力センサ（３８）は、前記圧力センサの検出情報を伝達するために、前記制御装置（２４）と信号を伝達できるように接続されており、前記制御装置は、前記圧力センサ（３８）の検出情報に従って、前記圧力変更装置（１４、２２）を作動することを特徴とする、請求項１から４のいずれか一項に記載のピペット装置（１０）。
【請求項６】
ピペット先端（２６）の一時的な連結のために、前記ピペット管（１１）が貫通する連結構造を有していることを特徴とする、請求項１から５のいずれか一項に記載のピペット装置（１０）。
【請求項７】
ピペット先端（２６）が設けられており、前記ピペット先端は、前記連結構造と解除可能な連結係合を行うための連結対応構造と、吸引プロセス及び分注プロセスの間における調量液体（３２）の通過開口部としてのピペット開口部（３０）と、を備えていることを特徴とする、請求項６に記載のピペット装置（１０）。
【請求項８】
前記圧力変更装置（１４、２２）が、磁気ピストン（１４）及び電気でエネルギー供給され得るコイル（２２）を含んでおり、前記制御装置（２４）は、前記コイル（２２）のエネルギー供給を制御するように構成されており、陰圧の形成は、前記ピストン（１４）の第１の方向への変位を含んでおり、陽圧パルスの形成は、前記ピストン（１４）の、前記第１の方向とは逆の第２の方向への変位と、その直後の前記第１の方向への変位と、を含んでいるか、又は、
前記圧力変更装置（１４、２２）が、２つの異なる作動ガス圧力タンクであって、１つは基準圧力に対して陽圧の、１つは陰圧の作動ガス圧力タンクを含んでおり、前記作動ガス圧力タンクのそれぞれは、弁を介して、前記ピペット管（１１）と圧力を伝達するように接続可能であり、前記制御装置は、前記弁の開閉を制御するように構成されており、陰圧の形成は、陰圧弁の開閉を含んでおり、陽圧パルスの形成は、前記陰圧弁の開閉と、陽圧弁の開閉と、を含んでいることを特徴とする、請求項１から７のいずれか一項に記載のピペット装置（１０）。
【請求項９】
ピペット先端（２６）に受容された調量液体（３２）を、ピペット先端（２６）から、各分注プロセスに関して１μｌを超えない分注体積で、パルス状に分注するための方法であって、作動ガス（３４）内に陽圧パルスを形成するステップを含んでおり、前記作動ガスは、ピペット開口部（３０）に背向する側において、受容された前記調量液体（３２）に、圧力を伝達するように接触しており、それによって、液滴（３６）が、前記調量液体（３２）の前記ピペット開口部（３０）に対向する側において、前記調量液体から分離し、前記調量液体（３２）から離れるように加速する方法において、
前記方法は、陽圧パルスを形成する前に、以下の、
−前記調量液体（３２）を静止して保持するために必要であるピペット管（１１）内の保持基準圧力に関して、前記作動ガス（３４）内に陰圧を形成し、それによって、受容された前記調量液体（３２）を前記ピペット開口部（３０）から離れる方向に移動させ、それによって、前記調量液体（３２）と前記ピペット開口部（３０）との間にガス体積（３５）を形成又は拡大し、それによって、１μｌを超えない少ない調量液体の量（３６）を放出している、ピペット開口部により近いメニスカス（３２ｂ）が、ピペット装置（１０）の受容空間（２８）へのパルス状分注の際に、前記ピペット開口部（３０）から距離を置いて配置されているステップ、を含んでいることを特徴とする方法。
【請求項１０】
陰圧を形成した後、かつ、陽圧パルスを形成する前に、以下の、
−前記作動ガス（３４）内の圧力を上昇させ、それによって、受容された前記調量液体（３２）を前記ピペット開口部（３０）の方向へ移動させるステップを含んでいることを特徴とする、請求項９に記載の方法。
【請求項１１】
前記作動ガス（３４）内の圧力を上昇させた後、かつ、陽圧パルスを形成する前に、以下の、
−前記保持基準圧力に関して、前記作動ガス（３４）内に陰圧を形成し、それによって、受容された前記調量液体（３２）を前記ピペット開口部（３０）から離れるように移動させ、それによって、前記調量液体（３２）と前記ピペット開口部（３０）との間にガス体積（３５）を形成するステップを含んでいることを特徴とする、請求項１０に記載の方法。
【請求項１２】
前記方法が、１μｌを超えない少ない調量液体の量（３６）を、ピペット装置（１０）内に供給されている、より多くの量の調量液体（３２）から、圧力可変の作動ガス（３４）を介して、パルス状に分注するためのピペット装置（１０）を動作させるための方法であり、前記ピペット装置（１０）は、
−少なくとも部分的に前記作動ガス（３４）が充填されたピペット管（１１）と、
−前記作動ガス（３４）の圧力を変更するための圧力変更装置（１４、２２）と、
−前記圧力変更装置（１４、２２）を作動するための制御装置（２４）と、
を含んでおり、
前記制御装置（２４）は、前記調量液体（３２）を静止して保持するために必要である前記ピペット管（１１）内での保持基準圧力に関して、前記ピペット管（１１）内に、４０ｍｓを超えないパルス幅を有する陽圧パルスを形成するために、前記圧力変更装置（１４、２２）を作動するように構成されており、
前記制御装置（２４）は、さらに、前記保持基準圧力に関して、前記ピペット管（１１）内に陽圧パルスを形成する前に、陰圧を形成するために、前記圧力変更装置（１４、２２）を作動するように構成されており、
前記ピペット装置は、ピペット先端（２６）を有しており、前記ピペット先端は、連結構造と解除可能な連結係合を行うための連結対応構造と、吸引プロセス及び分注プロセスの間における前記調量液体（３２）の通過開口部としてのピペット開口部（３０）と、を備えていることを特徴とする、請求項９から１１のいずれか一項に記載の方法。